(57)【要約】      （修正有）【課題】自動で換気可能であり、薄型の通気性インソールを提供する。  【解決手段】通気性インソールは、敷体１０、および、敷体１０内に設けられていたエアバック２０を備える。敷体１０は、吸気区３０、排気区４０、および、エアバック２０と吸気部３０との間を接続する給気路を有する。エアバック２０は、給気路および排気路と接続する位置に、逆止弁が設けられている。通気性インソールは、使用者の歩行過程において、自動的に換気することができる。給気路５０および排気路は、三角形の断面を有するため、圧力により変形することを抑制することができる。よって、押圧された場合であっても、空気の流通を確保することができる。これにより、通気性インソールの薄型化を実現することができる。また、異なる靴に適用することができ、優れた通気性を有するため使用者の心地良さを高めることができる。【選択図】図１
0003183852.tif 000002
【実用新案登録請求の範囲】
【請求項１】
エアバックと、
前記エアバックを収容可能であり、吸気区、排気区、前記エアバックと前記吸気区とを接続する吸気路、および、前記エアバックと前記排気区とを接続する排気路を有する敷体とを備え、
前記エアバックは、前記給気路および前記排気路と接続する箇所に逆止弁が設けられており、
前記敷体は、上側敷体、および、当該上側敷体に対応する薄板状の下側敷体を有し、
前記下敷体は、薄板として前記給気路および前記排気路の底部を密封しており、
前記上敷体には、前記エアバックの上側一部を収容する上側エアバック溝が形成されており、
前記下敷体には、前記エアバックの下側一部を収容する下側エアバック溝が形成されており、
前記給気路および前記排気路は、三角形の断面を有することを特徴とする通気性インソール。
【請求項２】
前記敷体の前記エアバックに対応する部分を除く部分の厚さは、２ミリメートル〜５ミリメートルであることを特徴とする請求項１に記載の通気性インソール。
【請求項３】
前記エアバックの内壁には、放射状に配列されている複数の突出リブが形成されており、
前記突出リブは、前記エアバック中心から離れるにしたがって断面の半径が大きくなるよう形成されていることを特徴とする請求項１に記載の通気性インソール。
【請求項４】
前記給気路および前記排気路の頂部には、空気の良好な流れを維持するアーチ形のリブが設けられていることを特徴とする請求項１に記載の通気性インソール。
【請求項５】
前記敷体は、前記排気区の前記上側敷体に、前記排気路と連通する排気溝、および、前記上側敷体を貫通し前記排気溝と連通する排気孔が形成されており、
前記吸気区は、前記敷体の後縁の凹部に位置していることを特徴とする請求項１に記載の通気性インソール。
【請求項６】
前記排気孔の周りに突出部が設けられていることを特徴とする請求項５に記載の通気性インソール。
【請求項７】
前記エアバックは、各前記逆止弁が設けられている位置に、開口が形成されており、
前記開口の内壁には、隔板溝が形成されており、
各前記逆止弁は、前記隔板溝、前記隔板溝内にはめ込まれた隔板、および、前記隔板に設けられた第一羽根扉を有し、
前記隔板には、第一バルブ孔が形成されており、
前記第一バルブ孔は、一端が、垂れ下がっている前記第一羽根扉により閉じられていることを特徴とする請求項１に記載の通気性インソール。
【請求項８】
前記エアバックは、各前記逆止弁が設けられている位置に、扁平な楕円形のバルブ溝が形成されており、
前記バルブ溝の内壁には、扁平な楕円形の封印カバー、および、扁平な楕円形のスリーブバルブが設けられており、
前記封印カバーは、内壁に案内凹溝が形成されており、密封端に第二バルブ孔が設けられており、
前記スリーブバルブは、前記案内凹溝に対応する位置に案内リブが形成されており、前記案内リブが前記案内凹溝に対応するよう前記封印カバーに挿入されており、前記第二バルブ孔側の一端に、垂れ下がることで前記第二バルブ孔を閉じる第二羽根扉が設けられていることを特徴とする請求項１に記載の通気性インソール。
【請求項９】
靴の中に入れるインソールであって、
吸気区および排気区を有する敷体を備え、
前記中敷は、上側敷体、前記上側敷体に対応した下側敷体、前記上側敷体と一体に形成されている上側エアバック部、および、前記上側エアバック部に対応して前記下側敷体と一体に形成されている下側エアバック部を有し、前記上側エアバック部と前記下側エアバック部との間に中空の袋状空間が形成されていることを特徴とする通気性インソール。
【請求項１０】
前記上側エアバック部と前記下側エアバック部の内壁には、放射状に配列されている複数の突出リブが形成されており、
前記突出リブは、前記上側エアバック部および前記下側エアバック部の中心から離れるにしたがって断面の半径が大きくなるよう形成されていることを特徴とする請求項９に記載の通気性インソール。
【考案の詳細な説明】
【技術分野】
【０００１】
本考案は、インソールに関し、詳しくは通気性インソールに関する。
【背景技術】
【０００２】
インソールは、靴内に敷かれることで磨耗防止機能及び緩衝機能を有する。インソールは、磨耗防止機能及び緩衝機能が要求されている以外、通気性および振動を吸収する機能も要求されている。
【先行技術文献】
【特許文献】
【０００３】
【特許文献１】台湾実用新案特許第１８０８４６号公報
【特許文献２】台湾実用新案特許第Ｍ３１２２０９号公報
【特許文献３】台湾発明特許第２００６２４０４８号公報
【特許文献４】台湾実用新案特許第５１５２４３号公報
【０００４】
現在、多くのインソールは、靴の底部と結合することで通気性を実現する。特許文献１に記載の分離式換気装置は、密閉型のエアバックと、単方向の吸気弁と、単方向の排気弁とを備え、吸気弁及び排気弁は、エアバックの空気の進出口として、取り外し可能な方式で、エアバックの一端に設けられている。この分離式換気装置は、分離可能な方式で靴の底部の前側の凹部に装着されている。歩行する時、足底部の先端部が曲がるため、エアバックが曲がって圧縮され、靴内の空気が更新されることができる。また、取り外し可能であるため、靴内の清潔を維持することができる。
また、特許文献２に記載の一体に形成されている透気インソールは、踵と対応する部分に突起が形成されている。この突起の中央は、中空となっており、円筒状の容器凹部が形成されている。また、この容器凹部の中央は、円筒状の支持柱が設けられており、支持柱の周囲には多数の吸気装置と排気溝が形成されている。容器凹部、給気装置、および排気溝の連通関係により、空気は、靴内の空間を流通する。支持柱は、支持作用を有し、インソールの使用寿命を延長する。しかしながら、インソールは靴底と一体に形成されているため、使用者は自分でインソールを替えることができなくなる。従って、使用時の選択性が低くなり、透気構造が壊れた時、靴を替える必要があるため、経済的でない。
【０００５】
特許文献３に記載の空気循環式インソールは、基層、阻隔層、第一逆止弁、および第二逆止弁を備える。基層は、背面が相互に対向している頂面及び底面、ならびに、少なくとも一つの頂面及び底面を貫通する通孔を有する。阻隔層は、基層の底部に設けられ、基層との間で気室を形成する。気室は通孔と連通している。第一逆止弁は基層と阻隔層との間に設けられ、外部の空気が気室に入るようにする。第二逆止弁は、基層と阻隔層との間で設けられ、気室内の空気が通孔により外へ出るようにする。しかしながら、この技術では、空気が気室に貯まりやすく、空気が気室から排出しにくいです。
【０００６】
特許文献４に記載の換気インソールは、中敷、エアバック、少なくとも一つの吸気管、吸気管に設けられている逆止弁、および少なくとも一つの排気管と前記排気管に設けられている逆止弁を備える。エアバックは、中敷の足根部に対応する位置に設けられている。エアバックは、中空なカプセルであって、内部に弾性の組織あるいはスプリングを収容する。エアバックの所定位置に吸気口および排気口が設けられ、それぞれ吸気管および排気管と接続する。使用者が歩行する時、足はエアバックに対して、連続に押圧する。そのため、新鮮な空気は吸気管を介してエアバックに入り、エアバック内の空気は排気管を介して排出される。よって、新鮮な空気が靴内に入り、靴内の臭気が排出される。また、空気が循環することにより、使用者の足に爽やかな快適感が生じる。しかしながら、このような、吸気管および排気管等の導管を備えたインソールは、以下のような問題を有する。
【０００７】
１．柔らかい材料により形成される導管を使用すると、塞がれやすい問題がある。
２．硬い導管を使用すると、使用者に不快感を与える問題がある。
３．露出されているエアクッションを使用すると、エアクッションが摩耗されやすくなり、足の底部に違和感が生じ、踵の位置摩擦力が異なることによって滑りやすくなる問題がある。
４．単一の導管を使用して空気を足の底部の前端に送ると、空気を単一のルートのみに流通させる問題がある。
５．露出されたエアバルブは壊れやすくて異物によりふさがられやすい欠点を有する。また、円形のエアバルブは使用者が踏む時に違和感が発生しやすい問題がある。
６．エアバックの内部に弾性の部材あるいはスプリングを設けると、弾性の部材あるいはスプリングを包んだ物が老化するとき足部の運動傷害をもたらす問題がある。
【考案の概要】
【考案が解決しようとする課題】
【０００８】
しかしながら、自分で換気可能であるインソールの厚さを薄くすることは困難であるため、インソールの商業化も困難である。よって、インソールの構成を改良し、従来より薄い厚さ、簡単な構造、優れた耐久性、便利性、および、心地よさを有するインソールを製造し、商業化することが課題となっている。
本考案は、上述した問題に鑑みてなされたものであり、その目的は、自動で換気可能であり、薄型の通気性インソールを提供することにある。
【課題を解決するための手段】
【０００９】
本考案に係る通気性インソールは、エアバック、および、敷体を備える。敷体は、エアバックが埋め込まれており、吸気区、排気区、エアバックと吸気区とを接続する吸気路、および、エアバックと排気区とを接続する排気路を有する。
【００１０】
敷体のエアバックに対応する部分を除く部分の厚さは、２ミリメートル〜５ミリメートルである。
【００１１】
前記エアバックの内壁には、放射状に配列されている複数の突出リブが形成されている。突出リブは、エアバック中心から遠くなるほど断面の半径が大きくなるよう形成されている。
給気路および排気路の頂部には、気流の良好な流れを維持するアーチ形のリブが設けられている。
敷体は、排気区の上側敷体に、排気路と連通する排気溝、および、上側敷体を貫通し排気溝と連通する排気孔が形成されている。
吸気区は、敷体の後縁の凹部に位置している。
排気孔の周りに突出部が設けられている。
【００１２】
エアバックは、各逆止弁が設けられている位置に、開口が形成されている。開口の内縁は、隔板溝が形成されている。各逆止弁は、隔板溝、隔板溝内にはめ込まれた隔板、および、隔板の上に配設された第一羽根扉を有している。隔板には、第一バルブ孔が形成されている。第一羽根扉は、垂れ下がることにより第一バルブ孔の一端を閉じる。
【００１３】
エアバックは、各逆止弁が設けられている位置に、扁平な楕円形のバルブ溝が形成されている。各バルブ溝の内縁には、扁平な楕円形の封印カバー、および、扁平な楕円形のスリーブバルブが設けられている。封印カバーは、内壁に案内凹溝が形成されており、密封端に第二バルブ孔が設けられている。スリーブバルブは、案内凹溝に対応する位置に案内リブが突出しており、案内リブが案内凹溝に対応するよう封印カバーに挿入されており、第二バルブ孔側の一端に、垂れ下がることで第二バルブ孔を閉じる第二羽根扉が設けられている。
【００１４】
また、中敷は、上側敷体、上側敷体に合わせた下側敷体、上側敷体と一体に形成されている上側エアバック部、および、上側エアバック部に対応して下側敷体と一体に形成されている下側エアバック部を有しており、上側エアバック部と下側エアバック部との間に中空の袋状空間が形成されている。
【００１５】
前記上側エアバック部と前記下側エアバック部の内壁には、放射状に配列されている複数の突出リブが形成されている。突出リブは、上側エアバック部および下側エアバック部の中心から遠くなるほど断面の半径が大きくなるよう形成されている。
【００１６】
本考案の効果を以下の通り説明する。
１．インソールの内部に導管を配設する必要がなく、インソールに装着されたエアバック以外の部分は、２ミリメートルの〜５ミリメートルまで薄くすることができ、歩行する時の導管による違和感を無くすことができる。
２．吸気路および排気路は、三角形の断面を有し、頂端が三角形の先端となることにより、押圧により潰れることを抑制することができる。また、敷体の薄型化に貢献することができ、敷体の厚さを減らし、使用者の心地よさを高めることができる。
３．エアバックの中心を囲んでいる放射状の突出リブは、半円形の断面を有し、エアバックの中心に近づけば近づくほど断面の半径が小さくなるため、エアバックは優れた伸縮性を有する。
４．逆止弁は、装着、製造、および入れ替えが容易であり、優れた耐久性を有する。
５．逆止弁が楕円形であるため、エアバックの厚さを減少することができ、偏向を防止することができ、定位する機能を有する。また、組み立てる時、にぶくなることを抑制することができる。
６．逆止弁がエアバックの内部に設けられているため、他の部位を踏む時の違和感を低減することができ、吸気区および排気区の配置制限を低減することができる。
７．排気区は、インソールの足指側の位置に配置され、排気孔の周縁に突出部が設けられているため、排気孔が崩れることまたは塞がられることを抑制することができる。
【図面の簡単な説明】
【００１７】
【図１】本考案の第一実施形態による通気性インソールの斜視図である。
【図１Ａ】本考案の第一実施形態による通気性インソールの斜視図である。
【図２】本考案の第一実施形態による通気性インソールの分解斜視図である。
【図２Ｘ】図２の要部拡大図である。
【図２Ｙ】図２の要部拡大図である。
【図３】本考案の第一実施形態による通気性インソールの断面図である。
【図４】本考案の第一実施形態による通気性インソールのエアバックの分解斜視図である。
【図４Ａ】本考案の第一実施形態による通気性インソールの逆止弁を示す斜視図である。
【図４Ｂ】本考案の第一実施形態による通気性インソールの逆止弁を示す斜視図である。
【図４Ｃ】本考案の第一実施形態による通気性インソールの逆止弁を示す斜視図である。
【図５】本考案の第二実施形態による通気性インソールを示す斜視図である。
【図５Ａ】図５の要部拡大図である。
【図６】本考案の第二実施形態による通気性インソールの断面図である。
【図７】本考案の第二実施形態による通気性インソールのエアバックの断面図である。
【図７Ａ】図７の要部拡大図である。
【図８】本考案の第二実施形態による通気性インソールのエアバックの断面図である。
【図８Ａ】図８の要部拡大図である。
【図９】本考案の第二実施形態による通気性インソールのエアバックの分解斜視図である。
【図９Ａ】本考案の第二実施形態による通気性インソールの逆止弁を示す断面図である。
【図９Ｂ】本考案の第二実施形態による通気性インソールの逆止弁を示す断面図である。
【図９Ｃ】本考案の第二実施形態による通気性インソールの逆止弁を示す断面図である。
【図１０】本考案の第三実施形態による通気性インソールを示す分解斜視図である。
【図１０Ａ】図１０の要部拡大図である。
【図１０Ｂ】図１０の要部拡大図である。
【図１１】本考案の第三実施形態による通気性インソールの要部拡大図である。
【図１１Ａ】本考案の第三実施形態による通気性インソールの要部拡大図である。
【図１２】本考案の第三実施形態による通気性インソールの応用例を示す模式図である。
【図１３】本考案の第三実施形態による通気性インソールの応用例を示す模式図である。
【図１４】本考案の第三実施形態による通気性インソールの特性を示す模式図である。
【図１４Ａ】本考案の第三実施形態による通気性インソールの特性を示す模式図である。
【図１５】本考案の第四実施形態による通気性インソールを示す分解斜視図である。
【図１５Ａ】本考案の第四実施形態による通気性インソールの要部を示す拡大斜視図である。
【図１５Ｂ】本考案の第四実施形態による通気性インソールの要部を示す拡大斜視図である。
【図１６】本考案の第四実施形態による通気性インソールを示す断面図である。
【考案を実施するための形態】
【００１８】
以下、本考案の実施形態について図面に基づいて説明する。
（第一実施形態）
図１、図２に示すように、本考案の第一実施形態に係る通気性インソールは、敷体１０、敷体１０内に設けられているエアバック２０を備える。敷体１０は、吸気区３０、排気区４０、エアバック２０と吸気区３０との間を接続する給気路５０、および、少なくともエアバック２０と前記排気区４０との間を接続する出気道６０を有する。
【００１９】
敷体１０は、上側敷体１１、および、上側敷体１１に対応する下側敷体１２を有する。給気路５０および排気路６０は、通気路であって、三角形の断面（図２Ｘ、図２Ｙを参照）を有し、上側敷体１１の底面に凹設されている。下側敷体１２は、給気路５０および排気路６０の底部として給気路５０および排気路６０を密封する。給気路５０および排気路６０は、三角形の断面を有し、頂端が先端となることで、押圧により変形することを抑制することができる。よって、押圧変形による空気の流通の遮断を抑制することができる。また、敷体を大幅に薄型化することができ、敷体の厚さを減らし、使用者の心地よさを高めることができる（図１０参照）。
【００２０】
敷体１０は、エアバック２０に対応する部分を除く部分の厚さは、２ミリメートル〜５ミリメートルである。
【００２１】
上側敷体１１は、エアバック２０の上半部を収容する上側エアバック溝１１１を有する。上側敷体１１の表面には、複数のマッサージ突粒１１２が設けられている。また、上側敷体１１の表面には、図１Ａに示すよう、保健突粒１１３が設けられている。下側敷体１２は、エアバック２０の下半部を収容する下側エアバック溝１２１を有する。吸気区３０は、インソールの後側の窪む部分に位置する。
【００２２】
図３は、本考案の第一実施形態による通気性インソールの排気区の断面図である。図３に示すように、敷体１０は、排気区４０に対応する位置の上側敷体１１の底面に、排気路６０と連通する排気溝４１、および、上側敷体１１を貫通し排気溝４１と連通する複数の排気孔４２が形成されている。排気溝４１とエアバック２０とは、１条以上の排気路６０により連通されている。排気孔４２の開口の周縁には突出部４３が設けられている。排気溝４１の内縁には内方向へ突出している複数の半円柱４４が形成されている。これにより、排気溝４１が押し圧されることを抑制することができる。
【００２３】
図４は、第一実施形態によるエアバックを示す斜視断面図であって、図４Ａ〜図４Ｃは、第一実施形態によるエアバックの要部を示す拡大斜視図である。エアバック２０は、ユーフォー状を有し、給気路５０に対応する位置に逆止弁７０が設けられ、排気路６０に対応する位置に逆止弁７０が設けられている。
【００２４】
エアバック２０は、逆止弁７０に対応する開口２１を有し、開口２１の内縁にはＵ形の隔板溝２２が形成されている。逆止弁７０は、硬い隔板７１、および、隔板７１上に配設されている第一羽根扉７２を含み、ヒンジ部７３は、隔板７１の上側に形成されている。
【００２５】
隔板７１には、第一バルブ孔７１１が設けられている。隔板７１は、隔板溝２２内に嵌め込まれている。給気路５０および排気路６０は隔板７１により密封され、気流は第一バルブ孔７１１のみを経由して進出する。逆止弁７０は、隔板７１と第一羽根扉７２とを一体にすることにより形成されることとしてもよい。このとき、隔板７１と第一羽根扉７２との間はより薄い同じ材料から形成されたヒンジにより接続される。
【００２６】
エアバック２０が圧力を受けていない時、第一羽根扉７２は、万有引力の作用を受けて自然に垂れ下がって第一バルブ孔７１１の一端を閉じる。第一羽根扉７２が第一バルブ孔７１１の一端を閉じるため、空気は第一バルブ孔７１１から第一羽根扉７２側へ流れるが、第一羽根扉７２が隔板７１に当接しているため、第一羽根扉７２から第一バルブ孔７１１側へ流れることができない。第一羽根扉７２の遮断により一方通行の流路を形成する。隔板７１の両側上下の縁部と隔板溝２２は、互いに対応する寸法を有し、組み立て過程中で隔板７１の上下が逆となる状態で隔板溝２２に挿入することを抑制することができる。
【００２７】
エアバック２０の内に壁は、エアバック２０を中心として放射状に配列された突出リブ２３が設けられている。突出リブ２３は、半円形の断面を有する。突肋２３は、エアバック２０の中心から離れるにしたがって断面の半径が大きくなるため、エアバック２０は優れた弾性力を有し圧迫を受けた後で良好な回復力を発生する。
【００２８】
排気路６０に対応する逆止弁７０は、第一羽根扉７２が第一バルブ孔７１と排気路６０との間で設けられるため、空気がエアバック２０から排出することができるように排気路６０側へ開く。使用者がエアバック２０を踏む時、空気は、逆止弁７０を通って、エアバック２０から排出され、排気路６０に入る。
【００２９】
給気路５０に対応する逆止弁７０は、第一羽根扉７２が第一バルブ孔７１とエアバック２０との間で設けられるため、空気がエアバック２０に入ることができるようにエアバック２０側へ開く。使用者が歩行するとき、エアバック２０が受けている圧力がなくなると、エアバック２０は弾性回復力により内部に負圧を発生し、給気路５０内の空気が逆止弁７０を通ってエアバック２０に入る。空気は継続的に吸気区３０から靴内に吸入され、排気区４０から排出される。
【００３０】
（第二実施形態）
本考案の第二実施形態を図５〜図９に基づいて説明する。
図５〜図９に示すように、本考案の第二実施形態による通気性インソールと、第一実施形態による通気性インソールとの差異は、エアバック２０が各逆止弁７０に対応する位置に偏平な楕円形のバルブ溝２４が設けられており、各バルブ溝２４の内壁に偏平な楕円形の封印カバー７４が設けられており、封印カバー７４の一端が開放端であり、他端が密封端であり、封印カバー７４の密封された他端に第二バルブ孔７５が形成されており、封印カバー７４の側縁に中空案内凹溝７４１が形成されていることである。
【００３１】
エアバック２０には、偏平な楕円形のスリーブバルブ７６が設けられている。スリーブバルブ７６は、封印カバー７４の案内凹溝７４１に対応する位置に案内リブ７６１が形成されている。スリーブバルブ７６は、案内リブ７６１と案内凹溝７４１とが嵌め合うよう封印カバー７４に挿入される。よって、封印カバー７４内にスリーブバルブ７６を挿入するとき、誤った状態で挿入されることを抑制することができる。また、組み立てる時、工数の浪費を抑制することができる。さらに、位置決めを行うことができる。容易に製造し簡単に点検を行うために、スリーブバルブ７６の一端には第二羽根扉７７が設けられており、第二羽根扉７７は垂れ下がることで第二ルブ孔７５を閉じ、スリーブバルブ７６の他端は開放されている。
【００３２】
第二実施形態および第一実施形態の吸気および排気は、同じ原理で行っている。排気路６０側の逆止弁７０は、空気がエアバック２０から排出されるよう、第二羽根扉７７が排気路６０側に向いて開く。図８、図８Ａに示すように、使用者がエアバック２０を踏む時、空気は逆止弁７０を通って、エアバック２０から排出され、排気路６０に入る。
一方、給気路５０側の逆止弁７０は、空気がエアバック２０に吸入されるよう、第二羽根扉７７がエアバック２０側に向いて開く。図７、図７Ａに示すように、使用者が歩行するとき、エアバック２０が受けている圧力がなくなる時、エアバック２０は、弾性回復力により、内部に負圧を発生し、給気路５０内の空気が逆止弁７０を通ってエアバック２０に入る。靴内の空気が持続的に吸気区３０から吸入され、排気区４０から排出される。
【００３３】
（第三実施形態）
本考案の第三実施形態を図１０〜図１４Ａに基づいて説明する。
図１０、図１１に示すように、敷体１０の分解手順は、図２と相反する。下側敷体１２は、図面の上側敷体１１の上側に位置する。
【００３４】
本実施形態では、空気流れの空間および空気流れの流暢性を確保するために、図１０Ａ、図１０Ｂに示すように、給気路５０および排気路６０の頂部にアーチ形のリブ５１、６１が形成されている。アーチ形のリブ５１、６１は、給気路５０および排気路６０の弾性を増加する。上側に圧力を受ける時、圧力を通路の両側へ導き、空気流れの空間および空気流れの流暢性を確保する。たとえ、最大限度まで圧縮されても、図１４に示すように、給気路５０および排気路６０において、アーチ形のリブ５１、６１の両側で空気流れの空間が確保される。
【００３５】
上側敷体１１は、図１１及び図１１Ａに示すように、吸気区３０の上半部が延伸して薄片３１を形成する。薄片３１には小さい通気孔３１１が複数設けられている。これにより、異物が給気路５０の凹溝に落ちることを抑制することができ、異物により給気路５０の開口が塞がれることを抑制する。
【００３６】
図１２及び図１３に示すように、本実施形態による通気性のインソールは、使用者が自分選んだ靴１００内に装着されることができる。エアバック２０の好ましい設置位置は、踵２００に対応する位置である。吸気区３０の好ましい設置位置は、敷体１０の後端が人の足の後踵２０１に対応する位置である。排気区４０は、足裏２０２と足指２０３との間に対応する位置に位置する。これにより、排気孔４２が足指の隙間２４に対応し、通気性を高めることができ、使用者の足部の爽やかさおよび快適度を高めることができる。
【００３７】
（第四実施形態）
本考案の第四実施形態を図１５〜図１６に基づいて説明する。
図１５、図１５Ａ及び図１５Ｂに示すように、本実施形態では、敷体１０Ａは、上側敷体１１Ａと、上側敷体１２Ａに対応する下側敷体１２Ａとから構成される。上側敷体１１Ａは、足の後踵２０１に対応する位置に上方向に突出する上側エアバック部１１１Ａが形成されている。下側敷体１２Ａは、上側エアバック部１１１Ａに対応する位置に、下方向に窪む下側エアバック部１２１Ａが形成されている。上側敷体１１Ａと下側敷体１２Ａとを合わせる時、上側エアバック部１１１Ａと下側エアバック部１２１Ａとが対合し、中空なエアバック状の空間を形成する。図１６に示すように、組立作業と生産過程を簡略化することができる。
【００３８】
上側エアバック部１１１Ａの内壁と下側エアバック部１２１Ａの内壁には、エアバックの中心を中心として放射状に配列されている突肋１３Ａ、１４Ａが形成されている。突肋１３Ａ、１４Ａは、半円形の断面を有する。突肋１３Ａ、１４Ａは、エアバックの中心から離れるにしたがって、断面の半径が大きくなるよう形成されているため、上側エアバック部１１１Ａおよび下側エアバック部１２１Ａは、良好な弾性力を有し、押圧された後に優れた回復力を発生することができる。それによって、第一実施形態と同じな効果を有する。
【符号の説明】
【００３９】
１０・・・・敷体、
１０Ａ・・・敷体、
１００・・・靴、
１１・・・・上側敷体、
１１Ａ・・・上側敷体、
１１１・・・上側エアバック溝、
１１１Ａ・・・上側エアバック部、
１１２・・・マッサージ突粒、
１１３・・・保健突粒、
１２・・・・下側敷体、
１２Ａ・・・下側敷体、
１２１・・・下側エアバック溝、
１３Ａ・・・突肋、
１４Ａ・・・突肋、
２０・・・・エアバック、
２００・・・踵、
２０１・・・後踵、
２０２・・・足裏、
２０３・・・足指、
２１・・・・開口、
２３・・・・環状列した突肋、
２４・・・・足指の隙間、
３０・・・・吸気区、
３１・・・・薄片、
４０・・・・排気区、
４１・・・・排気溝、
４２・・・・排気孔、
４３・・・・突出部、
５０・・・・給気路、
５１・・・・アーチ形のリブ、
６０・・・・排気路、
６１・・・・アーチ形のリブ、
７０・・・・逆止弁、
７１・・・・隔板、
７２・・・・第一羽根扉、
７４・・・・封印カバー、
７４１・・・案内凹溝、
７５・・・・第二バルブ孔、
７６・・・・スリーブバルブ、
７６１・・・案内リブ、
７７・・・・第二羽根扉。
【図１】
0003183852.tif 000003
【図１Ａ】
0003183852.tif 000004
【図２】
0003183852.tif 000005
【図２Ｘ】
0003183852.tif 000006
【図２Ｙ】
0003183852.tif 000007
【図３】
0003183852.tif 000008
【図４】
0003183852.tif 000009
【図４Ａ】
0003183852.tif 000010
【図４Ｂ】
0003183852.tif 000011
【図４Ｃ】
0003183852.tif 000012
【図５】
0003183852.tif 000013
【図５Ａ】
0003183852.tif 000014
【図６】
0003183852.tif 000015
【図７】
0003183852.tif 000016
【図７Ａ】
0003183852.tif 000017
【図８】
0003183852.tif 000018
【図８Ａ】
0003183852.tif 000019
【図９】
0003183852.tif 000020
【図９Ａ】
0003183852.tif 000021
【図９Ｂ】
0003183852.tif 000022
【図９Ｃ】
0003183852.tif 000023
【図１０】
0003183852.tif 000024
【図１０Ａ】
0003183852.tif 000025
【図１０Ｂ】
0003183852.tif 000026
【図１１】
0003183852.tif 000027
【図１１Ａ】
0003183852.tif 000028
【図１２】
0003183852.tif 000029
【図１３】
0003183852.tif 000030
【図１４】
0003183852.tif 000031
【図１４Ａ】
0003183852.tif 000032
【図１５】
0003183852.tif 000033
【図１５Ａ】
0003183852.tif 000034
【図１５Ｂ】
0003183852.tif 000035
【図１６】
0003183852.tif 000036